(57)【要約】【課題】宅配ボックスから荷物を受取った居住者が、荷物を置くことなく居室に行くことができる集合住宅のエレベータ呼び登録装置を提供する。【解決手段】居住者１が宅配ボックス２から荷物を取出すと、エレベータ制御装置５，５Ａ及び乗りかご４を撮影する監視カメラ７の映像データを記録する映像記録装置７へ、信号を出力する宅配ボックス利用者検出装置３Ｂａと、エレベータ制御装置５，５Ａは、宅配ボックス利用者検出装置３Ｂａからの信号で起動され、乗場呼び登録装置５Ｆを無効とするとともに、かご呼び登録装置５Ｅを有効とする専用運転装置５Ａａと、映像記録装置７は、宅配ボックス利用者検出装置３Ｂａからの信号で、監視カメラ６の映像データの記録指令と、再生時の頭出し信号とするインデックス信号を格納するようにした集合住宅のエレベータ呼び登録装置。【選択図】図１
2016113258.tif 000002
【特許請求の範囲】
【請求項１】
集合住宅の居住者が携帯し、居住者を特定する認証コードを記憶するカードと、このカードの認証コードを読み取り、居住者であることを確認すると、前記集合住宅の玄関階に設けられる自動ドアを開放する建物コントローラと、複数の収納ボックスを有するとともに、居住者の着荷の有無を通知する宅配ボックスと、前記居住者の前記認証コードの読み取りで、前記宅配ボックスの収納ボックスのドアを開放するとともに、前記集合住宅に設けたエレベータの玄関階の呼びを登録する呼び登録装置と、を備えた集合住宅のエレベータ呼び登録装置において、
前記建物コントローラに設けられ、前記居住者による前記宅配ボックスの前記収納ボックスのドアの開放によって、前記エレベータの制御部及び前記エレベータの乗りかご内を撮影する監視カメラの映像データを記録する映像記録装置へ、信号を出力する宅配ボックス利用者検出装置と、
この宅配ボックス利用者検出装置からの信号で、前記エレベータの制御装置により起動され、各階に設けた乗場呼び釦の押圧により前記乗りかごの呼び登録を行なう乗場呼び登録装置を無効とするとともに、前記乗りかごに設けたかご呼び釦の押圧により前記乗りかごの呼び登録を行なうかご呼び登録装置を有効とする専用運転装置と、
を備えており、
前記映像記録装置は、宅配ボックス利用者検出装置からの信号で、監視カメラの映像データの記録指令と、再生時の頭拙し信号とするインデックス信号を格納する機能を有することを特徴とする集合住宅のエレベータ呼び登録装置。
【発明の詳細な説明】
【技術分野】
【０００１】
本発明は、集合住宅のエレベータ呼び登録装置に係り、宅配ボックスが設置された集合住宅に好適な集合住宅のエレベータ呼び登録装置に関する。
【背景技術】
【０００２】
居住者への荷物を収容し着荷の有無を通知する機能を有し、集合住宅の玄関階に設けた宅配ボックスを備え、この宅配ボックスの荷物受取通知によって、居住者が宅配ボックスから荷物を受け取ると、エレベータに乗り遅れないよう乗り込むまでの時間を予測して乗り場呼びを登録するエレベータ制御システムが開示されている（特許文献１）。
【先行技術文献】
【特許文献】
【０００３】
【特許文献１】特開２００３−２７６９６０号公報
【発明の概要】
【発明が解決しようとする課題】
【０００４】
上述の技術は、宅配ボックスからの荷物受取通知によって、エレベータを玄関階に呼び寄せているが、居住者が玄関階でエレベータに乗り込み、居住階へ行くためにかご呼び釦を押圧する際、両手でなければ持てない荷物の場合、一旦荷物を置かなければかご呼び釦が押圧できないので、荷物を持った居住者はかご呼び登録に手間が掛かるという問題があった。
【０００５】
また、荷物を置いたときに荷物が持ち去られる虞もあった。
【０００６】
本発明の目的は、宅配ボックスから荷物を受取った居住者が、荷物を置くことなく呼びを登録し、居室に行くことができる集合住宅のエレベータ呼び登録装置を提供することにある。
【課題を解決するための手段】
【０００７】
上記目的を達成するために本発明は、集合住宅の居住者が携帯し、居住者を特定する認証コードを記憶するカードと、このカードの認証コードを読み取り、居住者であることを確認すると、前記集合住宅の玄関階に設けられる自動ドアを開放する建物コントローラと、複数の収納ボックスを有するとともに、居住者の着荷の有無を通知する宅配ボックスと前記居住者の前記認証コードの読み取りで、前記宅配ボックスの収納ボックスのドアを開放するとともに、前記集合住宅に設けたエレベータの玄関階の呼びを登録する呼び登録装置と、を備えた集合住宅のエレベータ呼び登録装置において、前記建物コントローラに設けられ、前記居住者による前記宅配ボックスのドアの開放によって、前記エレベータの制御部及び前記エレベータの乗りかご内を撮影する監視カメラの映像データを記録する映像記録装置へ、信号を出力する宅配ボックス利用者検出装置と、この宅配ボックス利用者検出装置からの信号で、前記エレベータの制御装置により起動され、各階に設けた乗場呼び釦の押圧により前記乗りかごの呼び登録を行なう乗場呼び登録装置を無効とするとともに、前記乗りかごに設けたかご呼び釦の押圧により前記乗りかごの呼び登録を行なうかご呼び登録装置を有効とする専用運転装置と、前記映像記録装置は、宅配ボックス利用者検出装置からの信号で、監視カメラの映像データの記録指令と、再生時の頭出し信号とするインデックス信号を格納することを特徴とする。
【発明の効果】
【０００８】
本発明によれば、宅配ボックスから荷物を取り出した居住者は、荷物を降ろすことなく呼びを登録して居室まで行くことができるので、荷物運搬が容易に行なえるとともに、荷物を降ろしたときに荷物を奪われることを防止できる。
【０００９】
また、宅配ボックスからエレベータへ行く途中或は乗りかごの中で荷物を奪われても、奪った人を確認するために映像データを再生する際、インデックス信号によって頭出しができるので、奪った人が記録されている映像データの再生を短時間で行なえる。
【図面の簡単な説明】
【００１０】
【図１】本発明に係るマンションセキュリティシステムの一実施形態の要部構成を示すブロック図である。
【図２】本発明の一実施形態の動作を説明するフローチャートである。
【発明を実施するための形態】
【００１１】
本発明の集合住宅のエレベータ呼び登録装置に関する一実施形態を、図１、図２に基づいて説明する。
【００１２】
図１において、図示しない集合住宅の玄関階である１階には、例えば３階の３０１号室に居住する居住者１を含む居住者宛の荷物を預かる宅配ボックス２が設けられている。宅配ボックス２は、荷物を施錠して収納する複数の収納ボックス２Ａ１〜２Ａ７と、図示しない宅配業者を所持する認証コードを記憶する図示しないカード、及び居住者１が所持するカード１Ａの認証コードを読み取る図示しないカードリーダや、収納ボックス２Ａ１〜２Ａ７と荷物の宛先である居室番号を関連付ける図示しないテンキー等を備えた入力部２Ｂを有している。ここで、図示しない記憶部には各居住者へ配布した図示しないカードの認証コードを、居室別に関連付けて記憶しており、入力部２Ｂにて関連付けられた居室番号と、入力部が読み込んだ認証コードによって抽出した居室番号との照合により、収納ボックス２Ａ１〜２Ａ７の図示しないドアの開放可否が判定される。
【００１３】
また、図示しない集合住宅の玄関に設けた図示しないカードリーダから居住者１が所持するカード１Ａの認証コードが通信装置３Ａに送信され、この通信装置３Ａから認証コードを取得した制御装置３Ｂは、認証コードに対し記憶部３Ｃを参照して居住者１を確認すると、図示しない集合住宅の玄関に設けられる図示しない自動ドアの駆動装置へ、開放指令信号を出力する等の制御を実施する建物コントローラ３が設けられている。ここで、建物コントローラ３の通信装置３Ａと、宅配ボックス２の入力部２Ｂは接続されている。
【００１４】
また、記憶部３Ｃは、カード１Ａの認証コードと居住者１を関連付けて記憶するとともに、居住者１と居住者１の居住階床及び居室番号、及び後述する宅配ボックス２から送信される居室番号信号に対する居住階床及び居室番号を、関連付けて記憶している。ここで、宅配ボックス２から送信される居室番号信号を受信すると、後述するエレベータ制御部５及び映像記録装置７へ信号を送信する宅配ボックス利用者検出装置３Ｂａが、通信装置３Ａと記憶部３Ｃに接続される制御装置３Ｂに配設されている。
【００１５】
また、図示しない集合住宅の図示しない昇降路にはエレベータの乗りかご４が設けられ、エレベータ制御部５の制御によって乗りかご４が図示しない昇降路を昇降する。また、乗りかご４には監視カメラ６が設けられ、この監視カメラ６が撮影した乗りかご４内の映像を記録する映像記録装置７が、図示しない集合住宅の図示しない管理人室に設置されている。
【００１６】
また、建物コントローラ３の通信装置３Ａと映像記録装置７が接続され、建物コントローラ３と記録装置６は図示しない管理人室に設置される場合が多い。
【００１７】
エレベータの乗りかご１３は、居住者１が乗りかご４へ乗降する際、エレベータ制御部５の指令信号により開閉するかごドア４Ａと、図示しない集合住宅の各階床（例えば４階床）へ乗りかご４を走行させるかご呼び登録を行なう階床分のかご呼び釦４Ｂ１〜４Ｂ４と、を少なくとも有している。
【００１８】
エレベータ制御部５は、乗りかご４の運行を制御する制御装置５Ａと、この制御装置５Ａに接続され、乗りかご４の運行等のデータを格納する記憶部５Ｂと、建物コントローラ３と信号を送受信し、制御装置５Ａに接続される通信装置５Ｃと、制御装置５Ａに接続され、乗りかご４の位置を検出する乗りかご位置検出装置５Ｄと、制御装置５Ａに接続され、押圧されたかご呼び釦４Ｂ１〜４Ｂ４に対し、乗りかご４の行き先階床を登録するかご呼び登録装置５Ｅと、各階床のエレベータ乗場に設けられ、図示しない乗場呼び釦の押圧にて乗りかご４の行き先階床を登録し、制御装置５Ａに接続される乗り場呼び登録装置５Ｆと、を少なくとも有している。
【００１９】
また、制御装置５Ａには、乗り場呼び登録装置５Ｆの呼び登録を無効とするとともに、かご呼び登録装置５Ｅ呼び登録を有効とする専用運転装置５Ａａを備えている。
【００２０】
次に、本実施形態の動作の説明を、図２のフローチャートを用いて行なう。
まず、宅配ボックス２の動作の説明を行なう。
【００２１】
図示しない宅配業者は、図示しない集合住宅の３階に居住する居住者１へ荷物を届けるため、宅配ボックス２の入力部２Ｂへ図示しないカードを冊し、収納ボックス２Ａ１の図示しないドアを開けて荷物を入庫した後、届け先である居住者１の居室番号である３０１を図示しないテンキーで入力し、収納ボックス２Ａ１の図示しないドアを閉じる（ステップＳＡ１）。
【００２２】
次に、宅配ボックス２の入力部２Ｂに居住者１のカード１Ａを含むカードが翳され、入力部２Ｂが認証コードを読み取り（ステップＳＡ２）、カード１Ａより読み取った認証コードにより図示しない記憶部から抽出した居室番号である３０１と、ステップＳＡ１で図示しない宅配業者が入力した居室番号の３０１とを照合し（ステップＳＡ３）、宅配業者が入力した居室番号（複数の場合も有る）に対し、カード１Ａの認証コ’―ドより記憶部から抽出した居室番号が存在しないとき、図示しないブザーを鳴動させて注意を促した後（ステップＳＡ４）、ステップＳＡ２へ戻る。
【００２３】
また、ステップＳＡ３で、宅配業者が入力した居室番号の３０１に対し、カード１Ａの認証コードより図示しない記憶部から抽出した居室番号が存在する場合、収納ボックス２Ａ１の図示しないドアを開放させ（ステップＳＡ５）、当該居室番号を居室番号信号として建物コントローラ３の通信装置３Ａへ送信する（ステップＳＡ６）。ここで、居住者１は収納ボックス２Ａ１の図示しないドアが開放したなら、収納ボックス２Ａ１に入れられた荷物を取り出す。
【００２４】
次に、ステップＳＡ１で宅配業者が入力した居室番号の３０１を削除する（ステップＳＡ７）。
【００２５】
次に、収納ボックス２Ａ１の図示しないドアが閉じられたかを判断する（ステップＳＡ８）。
【００２６】
また、ステップＳＡ８で、例えば、ステップＳＡ５の収納ボックス２Ａ１の図示しないドアの開放から、例えば２０秒開いたままであると、図示しないブザーを鳴動させて居住者１へ図示しないドアの開放状態のままであることを知らしめる（ステップＳＡ９）。
【００２７】
次に、建物コントローラ３の動作の説明を行なう。
【００２８】
建物コントローラ３の制御装置３Ｂは、宅配ボックス２がステップＳＡ６で送信する居室番号信号の有無を確認し（ステップＳＢ１）、通信装置３Ａが居室番号信号を受信すると、記憶部３Ｃを参照して居室番号信号から居住階床である３階を検出する（ステップＳＢ２）。
【００２９】
次に、制御装置３Ｂは宅配ボックス利用者検出装置３Ｂａを起動し、宅配ボックス利用者検出装置３Ｂａは、ステップＳＢ２で検索した居住階床の３階を階床信号として、通信装置３Ａを介してエレベータ制御部５の通信装置５Ｃへ送信する（ステップＳＢ３）。
【００３０】
また、宅配ボックス利用者検出装置３Ｂａは、ステップＳＢ１で受信した居室番号信号をインデックス信号として映像記録装置７へ送信する（ステップＳＢ４）。
【００３１】
映像記録装置７は、ステップＳＢ４で建物コントローラ３の宅配ボックス利用者検出装置３Ｂａから送信されたインデックス信号を、記憶される映像データに重畳して格納することで、映像記録装置７に記録された映像データを図示しないモニタヘ再生するときの頭出し信号とする。
【００３２】
次に、エレベータ制御部５の動作の説明を行なう。
【００３３】
エレベータ制御部５の制御装置５Ａは、建物コントローラ３の宅配ボックス利用者検出装置３ＢａがステップＳＢ３で送信する階床信号の有無を確認し（ステップＳＣ１）、ステップＳＣ１で階床信号（例えば３階に該当する信号）の受信を確認すると、この階床信号が１階か否かを判断し（ステップＳＣ２）、１階の場合はステップＳＣ１へ戻り、ステップＳＣ２で１階以外を判断すると、乗りかご位置検出装置５Ｄより乗りかご４の位置が１階か否かを判断し（ステップＳＣ３）、乗りかご４の位置が１階でない場合、乗場呼び登録装置５Ｆの１階の登録を行い乗りかご４を１階へ運転させる（ステップＳＣ４）。
【００３４】
また、制御装置５Ａは、ステップＳＣ３で乗りかご４が１階に停止していることを判断すると、乗りかご４のかごドア４Ａを開き（ステップＳＣ５）、図示しない乗場呼び釦の押圧にて登録される乗場呼び登録装置５Ｆでのエレベータの運行を無効とし、かご呼び釦４Ｂ１〜４Ｂ４の押圧にて登録されるかご呼び登録装置５Ｅでのエレベータの運行を有効にする専用運転装置５Ａａを起動するとともに（ステップＳＣ６）、ステップＳＣ１で受信した階床信号である居住者１の居住階の３階を、かご呼び釦４Ｂ３を押圧したときと同様にかご呼び登録装置５Ｅに登録する（ステップＳＣ７）。
【００３５】
次に、制御装置５Ａは、かご呼び登録装置５Ｅに登録された乗りかご４の行き先階床に対する応答運転を指令し（ステップＳＣ８）、かご呼び登録装置５Ｅへ登録されたかご呼び登録の終了を確認し（ステップＳＣ９）、終了していないときはステップＳＣ８へ戻り、終了と判断すると専用運転装置５Ａａを解除し、かご呼び登録装置５Ｅと乗り場呼び登録装置５Ｆの呼び登録を、双方有効とする通常の運行状態へ復帰させる（ステップＳＣ１０）。
【００３６】
以上のように、本実施形態によれば、居住者１は、宅配ボックス２の入力部２Ｂヘカード１Ａを翳して収納ボックス２Ａ１内の荷物を取り出すと、建物コントローラ３の宅配ボックス利用者検出装置３Ｂａから映像記録装置７ヘエレベータの乗りかご４内の映像の記録指令と、居室番号信号をインデックス信号として記録させるとともに、乗りかご４を１階へ走行させてかごドア４Ａを開放させ、かご呼び釦４Ｂ１〜４Ｂ４の押圧で登録されるかご呼び登録装置５Ｅのみに応答運転する専用運転装置５Ａａを起動させ、居住者１の居住階の３階の呼び登録を行ない、乗りかご４を３階へ走行させるようにしたものである。
【００３７】
このようにしたので、居住者１は、荷物を取り出してから居室である３０１号室まで、荷物を降ろすことなく移動できるので、荷物運搬が容易に行なえるとともに、荷物を降ろしたときに第三者に荷物を奪われることが防止できる。
【００３８】
また、映像記録装置７へのエレベータの乗りかご４内の映像は、居住者１が乗りかご４へ乗る前から記録されているので、居住者１が乗りかご４へ乗り込む前に第三者に荷物を奪われても、直前に乗りかご４から降りた者であれば、第三者の特定ができる。
【００３９】
また、映像データに居室番号信号をインデックス信号として記録させたことで、居住者１が荷物を奪われたときの映像データを迅速に抽出し、再生できる。
【符号の説明】
【００４０】
１  居住者
１Ａ  カード
２  宅配ボックス
２Ａ１〜２Ａ７  収納ボックス
２Ｂ  入力部
３  建物コントローラ
３Ａ  通信装置
３Ｂ  制御装置
３Ｂａ  宅配ボックス利用者検出装置
３Ｃ  記憶部
４  乗りかご
４Ａ  かごドア
４Ｂ１〜４Ｂ４  かご呼び釦
５  エレベータ制御部
５Ａ  制御装置
５Ａａ  専用運転装置
５Ｂ  記憶部
５Ｃ  通信装置
５Ｄ  乗りかご位置検出装置
５Ｅ  かご呼び登録装置
５Ｆ  乗場呼び登録装置
６  監視カメラ
７  映像記録装置
【図１】
2016113258.tif 000003
【図２】
2016113258.tif 000004